(57)【要約】【課題】隔壁等の貫通孔内に設けられる耐火二層管または管継手に、遮音機能と、火災遮断機能および防水機能を兼備したものを提供する。【解決手段】合成樹脂製の内筒２の周囲を繊維混入モルタルで被覆３した耐火二層管または耐火二層管継手１であって建造物の隔壁等の貫通孔７に貫通状態で設備されるものにおいて、該隔壁等の貫通孔に対応した耐火二層管または耐火二層管継手のモルタル被覆の周面部分に、遮音性を有する樹脂シート１７と難燃性フェルトの吸音シート１８を貼着した構成の遮音シート１３の内層と、アルミ箔の外皮１９とガラスクロス２０と焼成炭化したアクリル繊維布帛に接着剤が含浸されて該遮音シートと接合する繊維耐火接着シート２１とを重層した構成の耐火シート１４からなる外層とを設けた。【選択図】図３
2008101762.tif 000002
【特許請求の範囲】
【請求項１】
合成樹脂製の内筒の周囲を繊維混入モルタルで被覆した耐火二層管または管継手であって建造物の隔壁等の貫通孔に貫通状態で設備されるものにおいて、該隔壁等の貫通孔に対応した耐火二層管または耐火二層管継手のモルタル被覆の周面部分に、遮音性を有する樹脂シートと難燃性フェルトの吸音シートを貼着した構成の遮音シートの内層と、アルミ箔の外皮とガラスクロスと焼成炭化したアクリル繊維布帛に接着剤が含浸されて該遮音シートと接合する繊維耐火接着シートとを重層した構成の耐火シートからなる外層とを設けたことを特徴とする貫通部用耐火二層管または耐火二層管継手。
【請求項２】
上記耐火シートのアルミ箔の外皮の外面に、耐火性塗料を塗布したことを特徴とする請求項１に記載の貫通部用耐火二層管または耐火二層管継手。
【請求項３】
上記遮音性を有する樹脂シートに塩化ビニールとフタル酸エステルと炭酸カルシウムを組成分とするシートを使用し、難燃性フェルトとしてリン系の難燃剤と石油系の樹脂を綿やレーヨン等の有機繊維に混入したフェルトを使用したことを特徴とする請求項１に記載の貫通部用耐火二層管または耐火二層管継手。
【発明の詳細な説明】
【技術分野】
【０００１】  本発明は、建造物の隔壁等を介して貫通状態で配管設備される、合成樹脂製の内筒の周面に繊維混入モルタル被覆した構成を有する耐火二層管または耐火二層管継手に関する。
【背景技術】
【０００２】  上記の構成を有する耐火二層管または耐火二層管継手は、１，０００℃程度の火災の熱に耐えて防火防災上の安全性が高く、管継手の場合は、内管が合成樹脂製であるから複雑な内部構造の継手を製作できるという利点がある。しかし、最近は高機能、高性能なものが要求され、そのひとつに内筒の内部を流れる排水の騒音を小さくすることの要望があった。【０００３】  騒音の漏れは、耐火二層管や管継手の周囲に、例えば特許文献１に見られるようにフェルトの吸音層とゴム系の遮音層を有する遮音材を巻き付けることでその漏れを減少させることができるが、耐火二層管継手は、周面の形状が複雑で、その設置場所も隔壁や床スラブに設けた貫通孔内に埋設されることが多く、しかも遮音機能の良い遮音材は複合層で形成されて比較的厚手で柔らかいため、遮音材で完全に継手の周囲を覆う作業が難しく、貫通孔内に継手が動かないように固定設置することが困難であった。【０００４】  また、耐火二層管や耐火二層管継手の周囲と貫通孔の内面との間には、火災の際にも煙や炎が通過するような隙間が生じないようにしておかないと、貫通孔を介して延焼や煙害による災害が広がるので好ましくない。
【特許文献１】特許第３１５６６６２号公報
【発明の開示】
【発明が解決しようとする課題】
【０００５】  本発明は、隔壁や床スラブの貫通孔内に設けられる耐火二層管や耐火二層管継手に、排水による騒音が隔壁等を介して室内へ伝播することを防止する遮音機能と、火災の影響が隔壁等の貫通孔を介して他の室へ波及することを防止する火災遮断機能を兼備させることを課題とするものである。
【課題を解決するための手段】
【０００６】本発明では、上記課題を解決するため、合成樹脂製の内筒の周囲を繊維混入モルタルで被覆した耐火二層管または耐火二層管継手であって建造物の隔壁等の貫通孔に貫通状態で設備されるものにおいて、該隔壁等の貫通孔に対応した耐火二層管または耐火二層管継手のモルタル被覆の周面部分に、遮音性を有する樹脂シートと難燃性フェルトの吸音シートを貼着した構成の遮音シートの内層と、アルミ箔の外皮とガラスクロスと焼成炭化したアクリル繊維布帛に接着剤が含浸されて該遮音シートと接合する繊維耐火接着シートとを重層した構成の耐火シートからなる外層とを設けた。上記の課題は、該耐火シートのアルミ箔の外皮の外面に耐火性塗料を塗布して外皮の耐性を向上させたり、該遮音性を有する樹脂シートに塩化ビニールとフタル酸エステルと炭酸カルシウムを組成分とするシートを使用し、難燃性フェルトとしてリン系の難燃剤と石油系の樹脂を綿やレーヨン等の有機繊維に混入したフェルトを使用することで一層適切に解決することができる。
【発明の効果】
【０００７】  本発明の耐火二層管または耐火二層管継手は、貫通孔と対応するモルタル被覆の周面部分が、上記の構成の遮音シートと耐火シートで覆われているので、アルミ箔の外皮により外周からの水の浸透が阻止され、耐熱性と耐力性のあるガラスクロスにより遮音性を有する樹脂シートおよび難燃性フェルトの吸音シートを強く締め付けてモルタル被覆に取り付けることができるから、吸音シートを水分が通過しにくくなり、更に、耐火シートが貫通孔内の部分の遮音シートを防火保護するため、火災のときに遮音シートが焼損して貫通孔内面とモルタル被覆の間に隙間が生じることがなく、貫通孔を介して火災の影響が波及することを防止できる。【０００８】  これら遮音シートと繊維耐火接着シートは比較的柔軟であるので、耐火二層管や耐火二層管継手への巻き付けが簡単に行え、施工性が良い。また、繊維耐火接着シートを構成する焼成炭化したアクリル繊維布帛は、薄くて耐火性が良好であるため、継手などの外径が小さくなり、その結果、小さい貫通孔を開孔形成して継手などを取り付けることができ、配管工事が容易になる。アルミ箔とガラスクロスをアクリル繊維布帛に重層することで、該布帛の型崩れを防止できると共に布帛への水分の浸透を防止でき、貫通孔内に安定して耐火二層管や耐火二層管継手を配管設置することができる。【０００９】  上記耐火シートのアルミ箔の外皮の外面に耐火性塗料を塗布すると、外皮の耐火性のみならず耐候性が向上され、上記遮音性を有する樹脂シートに塩化ビニールとフタル酸エステルと炭酸カルシウムを組成分とするシートを使用し、難燃性フェルトとしてリン系の難燃剤と石油系の樹脂を綿やレーヨン等の有機繊維に混入したフェルトを使用することで、安価なコストで本発明の目的が適切に達成できる。
【発明を実施するための最良の形態】
【００１０】  本発明の実施の形態を耐火二層管継手に適用した場合につき説明すると、図１は耐火二層管継手の全体外観図、図２は図１の断面図であり、これらの図において、符号１は硬質の合成樹脂製の内筒２の外周に繊維混入モルタルの被覆３を形成した耐火二層管継手を示し、その側面には枝管を接続するための３箇所の接続口４が設けられ、上下には縦管の接続口５を設けたものを示した。接続口４の個数は任意である。【００１１】  この耐火二層管継手１は、図３に示したように、建造物の隔壁や床スラブ６に形成した貫通孔７に貫通状態で配管設備され、セメントモルタルからなる充填材８を充填して貫通孔７内に固定される。各接続口４、５には、図４の断面構造図に見られるような硬質合成樹脂製の内管９の周囲を繊維混入モルタル製の外管１０で覆った構成の耐火二層管１１が接続される。図示のものでは、外管１０の周面に遮音材１２を巻き付けた遮音型の耐火二層管を使用した。符号２２は各接続口４に設けられた熱膨張性目地材である。【００１２】  耐火二層管継手１の内部には排水の流れを制御するための羽根などの構造物が設けられているため、これに当たる水音が騒音となり、また、耐火二層管１１内の流れによっても騒音が生じる。これらの騒音が耐火二層管継手１を介して床スラブ６や隔壁に伝播する不都合を防止するのみならず貫通孔７を介する火災の影響を排除するため、本発明では、図３に見られるように、隔壁や床スラブ６の貫通孔７に対応した耐火二層管継手１のモルタル被覆３の周面部分に、遮音シート１３と耐火シート１４を設け、貫通孔７における遮音機能と火災遮断機能および防水機能を兼備するようにした。【００１３】  該遮音シート１３は、図５に示すように、遮音性を有する塩化ビニールとフタル酸エステルと炭酸カルシウムを組成分とする厚さ１．５ｍｍ程度で密度２ｇ／ｃｍ３のシートなどの樹脂シート１７とリン系の難燃剤と石油系の樹脂を綿やレーヨン等の有機繊維に混入した厚さ５ｍｍのフェルトなどの難燃性フェルト１８を順次に重合貼着した構成を有するもので、難燃性フェルト１８は貫通孔７に対応したモルタル被覆３の周面領域に対応した範囲に設けられる。耐火二層管継手１で発生する騒音は、難燃性フェルト１８により吸音され更に樹脂シート１７により遮音され、外部への音漏れはごくわずかになる。【００１４】  耐火シート１４の構成は図６に示すごとくであり、厚さ２０μ程度のアルミ箔の外皮１９と補強材のガラスクロス２０と焼成炭化した薄いアクリル繊維布帛に感圧性の接着剤を含浸させた繊維耐火接着シート２１とを重層して構成した。この繊維耐火接着シート２１の外面は前記遮音シート１３の表面に対応させて接着されるが、ガラスクロス２０が繊維耐火接着シート２１と一体になっているため、繊維耐火接着シート２１の伸びが抑制され、密着性のよい接着が行える。また、外皮１９により外部からの水分の浸入の防止と薄い繊維耐火接着シート２１の形状の維持が行える。この外皮１９の表面には耐火性塗料２３を塗布して耐火性を向上させるようにしてもよい。【００１５】  遮音シート１３および耐火シート１４は、貫通孔７内に位置した耐火二層管継手１の周面領域を覆うように設けられるが、その領域を超���て例えば耐火二層管継手１の周面全体にこれらシート１３、１４を設けてもよい。必要な場合、該遮音シート１３を耐火二層管継手１の外面全体に設け、耐火シート１４は貫通孔７に対応した領域とその下方のモルタル被覆３の全部を覆うように設けるようにしてもよい。また、貫通孔７の上方と下方の領域を覆う遮音シート１３を分離された別個のシートで構成するようにしてもよく、この場合、下方の遮音シート１３の外面全体に耐火シート１４を重層してもよい。更に、これらの遮音シート１３は円筒状の立体型に作成し、現場で装着するようにしてもよい。遮音シート１３や耐火シート１４の上端を覆うようにしてアルミ箔とガラスクロスを重層したアルミガラスクロスによりモルタル被覆３に取り付けると、吸音シート１８への水分の浸透を防止して水密性が向上する。耐火二層管を貫通孔７内に設置する場合も上記と同様の手段により実施される。
【実施例】
【００１６】  硬質塩化ビニール製の内管２に繊維混入モルタル３で被覆した外径が大径部で１８２ｍｍ、細径部で１７８ｍｍの耐火二層管継手１を、厚さ２０ｃｍの床スラブに形成した直径が２０．９ｃｍの貫通孔７に設置した。この設置に先立ち、塩化ビニールにフタル酸エステルと炭酸カルシウムおよび顔料を混合した密度が２ｇ／ｃｍ３で厚さが１．５ｍｍの樹脂シート１７、および、綿とリン系の難燃剤と石油系の樹脂からなる難燃性フェルト１８で構成した遮音シート１３の上に、厚さ２０μのアルミ箔の外皮１９と、厚さ９０μのガラスクロスと、密度が１．４ｇ／ｃｍ３で厚さが０．５ｍｍであり感圧性で難燃性の接着剤を含浸させた焼成炭化したアクリル繊維布帛（ポリアクリルニトリル繊維フェルト）の繊維耐火接着シート１３とを順次に接着重層した構成の耐火シート１４を接着し、これを耐火二層管継手１の周面の貫通孔７に対応する領域に巻付け、アルミガラスクロス接着テープにより止め付けした。そして、貫通孔７と耐火シート１４との隙間にセメントモルタルの充填材８を充填した。【００１７】  上記の耐火二層管継手１に日常的な量の水を流したが、床スラブに伝わる騒音はわずかで普通の人には支障がなかった。比較のために遮音シート１３と耐火シート１４のない従来の構成の耐火二層管継手に同量の水を流したところ、深夜等の静粛な時間帯では多少の水流音が聞こえた。また、床スラブの下側の室内を１０００℃の火災状態を生じさせたが、本発明のものは耐火二層管継手１の周囲と貫通孔７の内面との間に隙間は発生せず、床スラブを介して火炎や煙が上側の室へ及ぶことがなかった。
【図面の簡単な説明】
【００１８】
【図１】本発明の実施に使用した耐火二層管継手の側面図
【図２】図１の断面図
【図３】本発明の実施例の断面図
【図４】耐火二層管の断面図
【図５】遮音シートの説明図
【図６】耐火シートの説明図
【符号の説明】
【００１７】  １  耐火二層管継手、２  内筒、３  被覆、７  貫通孔、１３  遮音シート、１４  耐火シート、１７  樹脂シート、１８  吸音シート、１９  外皮、２０  ガラスクロス、２１  繊維耐火接着シート、
【図１】
2008101762.tif 000003
【図２】
2008101762.tif 000004
【図３】
2008101762.tif 000005
【図４】
2008101762.tif 000006
【図５】
2008101762.tif 000007
【図６】
2008101762.tif 000008